(57)【要約】【課題】変形の無い部位でストレッチを行うことができると共に、使用に適した高さを有するストレッチ器具を開発する。【解決手段】  ストレッチ器具１は、袋体２の中に、円柱体５の結束ブロック６が内蔵されたものである。結束ブロック６は、６本の円筒体５が三角形に積み上げられ、これを結束手段１０によって結束したものである。円柱体５は、芯棒体１１と、円筒体１２によって構成されている。芯棒体１１は、樹脂の管である。円筒体５は、中央に貫通孔１５があり、その周囲を切れ目無く発泡樹脂層１６が覆っている。【選択図】図２
2014217625.tif 000002
【特許請求の範囲】
【請求項１】
複数の円柱体と、結束手段と、袋体によって構成されたストレッチ器具であって、各円柱体は剛性を有する芯棒体の周囲が発泡体で取り巻かれたものであり、
前記複数の円柱体が側面形状が略三角形となる様に積み上げられた状態で前記結束手段によって結束され、
さらに結束された状態の前記円柱体が袋体の中に収容されてなることを特徴とするストレッチ器具。
【請求項２】
結束手段は各芯棒体に接触し、各芯棒体を結束することによって各円柱体を結束していることを特徴とする請求項１に記載のストレッチ器具。
【請求項３】
袋体は、布製であり、側面形状が略三角形となる様に成形されていることを特徴とする請求項１又は２に記載のストレッチ器具。
【請求項４】
袋体は、伸縮性を有する布が縫製されて作られたものであることを特徴とする請求項１乃至３のいずれかに記載のストレッチ器具。
【請求項５】
発泡体は、円筒形であって中心に貫通孔が有り、前記貫通孔の周囲を発泡体が切れ目無く環状に取り巻いていることを特徴とする請求項１乃至４のいずれかに記載のストレッチ器具。
【請求項６】
複数の円柱体と、結束手段と、袋体によって構成されたストレッチ器具であって、各円柱体は剛性を有する芯棒体と、発泡体によって構成され、前記発泡体は、円筒形であって中心に貫通孔が有り、前記貫通孔の周囲を発泡体が切れ目無く環状に取り巻いており、各円柱体は前記貫通孔に芯棒体が挿通されたものであり、
前記複数の円柱体が側面形状が略三角形となる様に積み上げられた状態で前記結束手段によって結束され、
袋体は、伸縮性を有する布製であり、側面形状が略三角形となる様に縫製されたものであり、
結束された状態の複数の円柱体が袋体の中に収納されてなることを特徴とするストレッチ器具。
【請求項７】
結束手段は、ラチェット機構を備えたベルトであることを特徴とする請求項１乃至６のいずれかに記載のストレッチ器具。
【発明の詳細な説明】
【技術分野】
【０００１】
本発明は、ストレッチ体操や、マッサージ、整体、リハビリテーション等に使用するストレッチ器具に関するものである。
【背景技術】
【０００２】
準備体操や整理体操の一つとして、マッサージや整体施術の一手法として、あるいはリハビリテーションの一環としてストレッチがなされることがある。
ストレッチは、自身の手足を利用したり、壁や地面を利用して行う場合もあるが、特有の器具が使用される場合もある。
特許文献１にストレッチ器具が開示されている。特許文献１に開示されたストレッチ器具は、長尺状であって円柱状のポール部とこれを保持する土台部によって構成されている。
特許文献１に開示されたストレッチ器具では、ポール部が土台部の上で回転する。
また特許文献１の〔背景技術〕の説明の欄に、ストレッチ用のポールを使用したストレッチ器具が紹介されている。特許文献１の技術によると、ストレッチ用のポールは、弾力性のある円柱状の素材によって作られている。
【先行技術文献】
【特許文献】
【０００３】
【特許文献１】特開２００６−１４９５４９号公報
【発明の概要】
【発明が解決しようとする課題】
【０００４】
特許文献１に開示されたストレッチ器具は、ポール部材が回転するものであるから、ポール部材は相当の剛性が必要であり、硬い。そのため使用者の体にポール部材が押し当たった際、使用者が痛みを感じる。
また特許文献１の〔背景技術〕の説明の欄に、弾力性のある円柱状の素材を利用したストレッチ器具が開示されているが、弾力性のある素材を利用したストレッチ器具は、使用中に一時的に変形し、体に対しての当たり心地が変化する。
即ちストレッチは、筋や筋肉を引き延ばしたり、弛緩した状態を一定時間保持して行い、ストレッチする筋肉や筋を変えて行く。例えば、背中の筋肉から脇の筋肉という様に、ストレッチする部位を変化させ、全身をストレッチする。
例えば、一分という様な比較的長時間に渡って、背中をポール部材に押し当てる。そしてこれを何回か繰り返した後、次の筋肉のストレッチに移る。例えば、脇をポール部材に押し当て、この状態を一定時間維持する。
【０００５】
前記した様に、先に体の一部をストレッチし、さらに続いて他の部位をストレッチすると、後でストレッチを行う際、ストレッチ器具のポール部材に、先にストレッチで行った際の変形が残っている場合がある。そのため、ポール部材が体にフイットせず、思うようにストレッチが出来ない場合がある。
【０００６】
また、ストレッチ器具は、ある程度の高さを有する方が使いやすい。これに対して、特許文献１に開示されたストレッチ器具は、高さが低く、使いにくい。
【０００７】
そこで本発明は、従来技術の上記した問題点に注目し、変形の無い部位でストレッチを行うことができると共に、使用に適した高さを有するストレッチ器具を開発することを課題とするものである。
【課題を解決するための手段】
【０００８】
上記した課題を解決するための請求項１に記載の発明は、複数の円柱体と、結束手段と、袋体によって構成されたストレッチ器具であって、各円柱体は剛性を有する芯棒体の周囲が発泡体で取り巻かれたものであり、前記複数の円柱体が側面形状が略三角形となる様に積み上げられた状態で前記結束手段によって結束され、さらに結束された状態の前記円柱体が袋体の中に収容されてなることを特徴とするストレッチ器具である。
【０００９】
本発明のストレッチ器具では、複数の円柱体が、略三角形に積み上げられたものである。そのため本発明のストレッチ器具は、３個の角を有し、各角に円柱体が存在する。そのため、使用者は、３つの角のいずれかを使用してストレッチを行うことができる。従って、最初のストレッチで、円柱体が変形した場合は、使用する角を変えることによって、変形の無い円柱体を使用することができる。
また円柱体の変形は、時間の経過と共に回復する。そのため、一つの角の円柱体が変形しても、他の角の円柱体を使用している間に変形が回復する。そのため、その次、または次の次のストレッチにおいては、変形の無い状態で使用することができる。
また本発明のストレッチ器具は、円柱体が積み重ねられたものであるから、ある程度の高さがあり、使い勝手がよい。
また本発明のストレッチ器具は、円柱体が積み重ねられたものであるが、各円柱体に芯棒体があるから、円柱体の撓みは比較的小さい。即ち本発明のストレッチ器具は、円柱体の周囲が発泡体で取り巻かれているから、外力によって凹む。しかしながら、各円柱体には、剛性を備えた芯棒体があるから、全体としての撓みは比較的小さい。
また本発明のストレッチ器具は、全体が袋体で覆われているから、例え円柱体の発泡体が千切れたり割れたりしても、破片が使用者の体に付かない。
【００１０】
請求項２に記載の発明は、結束手段は各芯棒体に接触し、各芯棒体を結束することによって各円柱体を結束していることを特徴とする請求項１に記載のストレッチ器具である。
【００１１】
本発明のストレッチ器具では、剛性を有する芯棒体を結束することによって各円柱体を結束している。そのため結束力が強く、ばらばらになりにくい。
【００１２】
請求項３に記載の発明は、袋体は、布製であり、側面形状が略三角形となる様に成形されていることを特徴とする請求項１又は２に記載のストレッチ器具である。
【００１３】
本発明のストレッチ器具では、袋体が略三角形となる様に成形されているから、袋体に余分な領域が生じず、弛まない。
【００１４】
請求項４に記載の発明は、袋体は、伸縮性を有する布が縫製されて作られたものであることを特徴とする請求項１乃至３のいずれかに記載のストレッチ器具である。
【００１５】
本発明では、袋体が伸縮性を有する布で作られているから、袋体に余分な領域が生じず、弛まない。
【００１６】
請求項５に記載の発明は、発泡体は、円筒形であって中心に貫通孔が有り、前記貫通孔の周囲を発泡体が切れ目無く環状に取り巻いていることを特徴とする請求項１乃至４のいずれかに記載のストレッチ器具である。
【００１７】
本発明で採用する発泡体は、円筒形であって切れ目がない。そのため円周をどの方向から押圧しても、反発力や弾性力が等しい。そのため、本発明のストレッチ器具は、使い勝手がよい。
【００１８】
請求項６に記載の発明は、複数の円柱体と、結束手段と、袋体によって構成されたストレッチ器具であって、各円柱体は剛性を有する芯棒体と、発泡体によって構成され、前記発泡体は、円筒形であって中心に貫通孔が有り、前記貫通孔の周囲を発泡体が切れ目無く環状に取り巻いており、各円柱体は前記貫通孔に芯棒体が挿通されたものであり、前記複数の円柱体が側面形状が略三角形となる様に積み上げられた状態で前記結束手段によって結束され、袋体は、伸縮性を有する布製であり、側面形状が略三角形となる様に縫製されたものであり、結束された状態の複数の円柱体が袋体の中に収納されてなることを特徴とするストレッチ器具である。
【００１９】
本発明のストレッチ器具は、前述した各要素を兼ね備えたものであり、使い心地がよい。
【００２０】
請求項７に記載の発明は、結束手段は、ラチェット機構を備えたベルトであることを特徴とする請求項１乃至６のいずれかに記載のストレッチ器具である。
【００２１】
本発明のストレッチ器具では、ラチェット機構を備えたベルトによって複数の円柱体を結束するので、結束作業が簡単である。
【発明の効果】
【００２２】
本発明のストレッチ器具は、略三角形であり、３箇所の角にそれぞれ円柱体が内蔵されている。そのため、各角を使ってストレッチを行うことができ、変形の無い円柱体でストレッチを行うことができる。
また本発明のストレッチ器具は、適度の高さを有しているので、使い勝手が良い。
【図面の簡単な説明】
【００２３】
【図１】本発明の実施形態のストレッチ器具の斜視図である。
【図２】図１のストレッチ器具の袋体の一部を破断した状態の斜視図である。
【図３】図１のストレッチ器具の円筒体の結束体であって、結束部分で切断した断面斜視図である。
【図４】図１のストレッチ器具の円筒体及び結束手段の関係を示す断面斜視図である。
【図５】図１のストレッチ器具の円筒体の分解斜視図である。
【図６】図１のストレッチ器具で使用する結束手段の正面図である。
【図７】本発明の他の実施形態のストレッチ器具であって、袋体の一部を破断した状態の斜視図である。
【図８】図１のストレッチ器具の使用方法を示す斜視図である。
【図９】図１のストレッチ器具の他の使用方法を示す斜視図である。
【図１０】図１のストレッチ器具のさらに他の使用方法を示す斜視図である。
【図１１】図１のストレッチ器具のさらに他の使用方法を示す斜視図である。
【図１２】図１のストレッチ器具のさらに他の使用方法を示す斜視図である。
【発明を実施するための形態】
【００２４】
以下さらに本発明の実施形態について説明する。
本実施形態のストレッチ器具１は、図１の様に三角柱状をしている。
ストレッチ器具１は、図２の様に、袋体２の中に、円柱体５の結束ブロック６が内蔵されたものである。
本実施形態では、結束ブロック６は、６本の円筒体５が三角形に積み上げられ、これを結束手段１０によって結束したものである。
【００２５】
本実施形態で採用する円柱体５は、図５の様に、芯棒体１１と、円筒体１２によって構成されている。
芯棒体１１は、樹脂又は金属の棒又は管である。本実施形態では、樹脂の管を芯棒体１１として使用している。
芯棒体１１の直径は、１０ｍｍから２５ｍｍ程度である。
芯棒体１１は、例えば、配管材料を流用することができる。本実施形態では、呼び径１３ｍｍの硬質塩化ビニル管を利用している。
【００２６】
円筒体１２は、独立気泡の発泡樹脂であり、外観形状が管状である。即ち円筒体１２は、中央に貫通孔１５が設けられている。円筒体１２には、長手方向の切れ目はない。即ち円筒体１２の断面形状は、中央に貫通孔１５があり、その周囲を切れ目無く発泡樹脂層１６が覆っている。
円筒体１２の側面には、ところどころに孔１７が設けられている。孔１７は、円筒体１２の側面と内部の貫通孔１５を連通している。
また孔１７は、円筒体１２の長手方向の同一位置であり、貫通孔１５を中心として角度が異なる部位に２個づつ設けられている。
円筒体１２の側面には、孔１７の２個づつの組が、円筒体１２の長手方向に複数組、設けられている。
【００２７】
円筒体１２の直径は、４０ｍｍから１２０ｍｍ程度である。より望ましくは、６０ｍｍから８０ｍｍ程度である。
【００２８】
円筒体１２は、例えば配管用断熱材や、配管保護部材等を流用することができる。より具体的には、円筒体１２として、発泡ポリエチレンや、発泡ポリスチレン製の配管用断熱材、配管用保温保冷材を使用することができる。また円筒体１２は、発泡ウレタン樹脂や、発泡性のゴム等を素材とするものであってもよい。
【００２９】
結束手段１０は、ラチェット機構を備えたベルトである。本実施形態では、図６に示す様な、電線等を束ねる用途に使用される結束バンドが結束手段１０として使用されている。
【００３０】
結束ブロック６は、前記した様に、６本の円柱体５が三角形に積み上げられ（図２、図３）、これを結束手段１０によって結束したものである。
より具体的には、図３、図４の様に円筒体５の側面に形成された孔１７に結束手段１０を挿通して貫通孔１５内の芯棒体１１の周囲の一部を取り巻く。そして６本の円筒体５の全てに結束手段１０を連通された状態で、結束手段１０を締めつける。具体的には、ギザが設けられたベルト本体２０をラチェット部２１の開口２２に挿通して、ベルト本体２０を強く引く。その結果、芯棒体１１の表面に当接しているベルト本体２０が締めつけられ、６本の円柱体５が結束される。即ち芯棒体１１の表面に結束手段２０を接触させ、各芯棒体１１を結束することによって各円柱体５を結束する。
結束手段１０は、ラチェット機構を有しているから、ベルト本体２０は、ラチェット部２１に対して一方方向にしか進行しない。そのためベルト本体２０をラチェット部２１の開口２２に挿通して、ベルト本体２０を強く引くだけで、結束手段１０の環状部分の寸法が固定され、結束が完了する。
【００３１】
結束ブロック６の高さＨは、１０ｃｍから２０ｃｍ程度である。より推奨される高さＨは、１３ｃｍから１６ｃｍ程度である。
【００３２】
袋体２は、トリコット、ジャージ等の伸縮性を有する布を素材とし、これを縫製して作られたものである。
袋体２は、図１の様に、略三角形の端面布２５，２６と、周面布２７を備えている。即ち略三角形の端面２５，２６が対向して配置され、両者の間に周面布２７が縫い付けられたものである。端面２５，２６の大きさは、結束ブロック６の端面と略等しい。
【００３３】
本実施形態のストレッチ器具１は、図２の様に袋体２の中に、結束ブロック６が挿入されたものであり、結束ブロック６は、やや圧縮された状態で内蔵されている。
【００３４】
本実施形態のストレッチ器具１は、図１様に三角柱状であるから、３個の角Ａ，Ｂ，Ｃを有している。そして各角Ａ，Ｂ，Ｃの中には、円柱体５がある。
【００３５】
上記した実施形態では、６本の円柱体５を結束して袋体２の中に挿入したが、円柱体５の本数は、６本に限定されるものではなく、例えば図７に示すストレッチ器具３０の様に、３本の円柱体５を結束したものであってもよい。
【００３６】
ストレッチ器具１，３０の使用方法は任意である。例えば、図８に示す様に、ストレッチ器具１，３０の上に仰向けになって寝そべり、背骨の周囲の筋肉に角Ａを押し当ててもよい。また背骨の筋肉に角Ａを当てた状態で全身の力を抜き、背骨の周囲の筋肉を弛緩させて伸ばしてもよい。
【００３７】
また図９、図１０に示すように、使用者と交差する様にストレッチ器具１，３０を配置し、腰骨や肋骨に角Ａを当ててもよい。
さらには、図１１、図１２の様に肘の近傍をストレッチ器具１，３０の角Ａを当ててもよい。
【００３８】
また使用中に、ストレッチ器具１，３０の表面が凹み、力を抜いても原形に戻りにくくなったならば、ストレッチ器具１，３０を回転し、角Ｂ又は角Ｃを上に向け、角Ｂ又は角Ｃに体を押し当てる。
角Ｂ又は角Ｃを使用する内に、先の角Ａの凹み部分が膨らんで原形に戻る。そのため、後で角Ａを使用することができる。
【符号の説明】
【００３９】
１  ストレッチ器具
２  袋体
５  円柱体
６  結束ブロック
１０  結束手段
１１  芯棒体
１２  円筒体
１５  貫通孔
１６  発泡樹脂層
２０  ベルト本体
２１  ラチェット部
３０  ストレッチ器具
【図１】
2014217625.tif 000003
【図２】
2014217625.tif 000004
【図３】
2014217625.tif 000005
【図４】
2014217625.tif 000006
【図５】
2014217625.tif 000007
【図６】
2014217625.tif 000008
【図７】
2014217625.tif 000009
【図８】
2014217625.tif 000010
【図９】
2014217625.tif 000011
【図１０】
2014217625.tif 000012
【図１１】
2014217625.tif 000013
【図１２】
2014217625.tif 000014